(57)【要約】【課題】転送したい画像を確実に選択し、転送不必要なデータは転送せずに必要な画像だけ転送可能とする。【解決手段】画像処理装置であって、撮影指示に応じて画像を撮影する撮影手段と、前記撮影された画像を表示する表示手段と、前記撮影された画像を外部装置へ転送する転送指示を受け付ける転送指示受付手段と、前記転送指示を受け付けた画像を前記外部装置へ転送する通信手段と、前記表示手段による表示を制御する表示制御手段であって、前記撮影された画像の表示中に前記転送指示受付手段による前記転送指示の受付が可能である場合に、該画像の表示を前記転送指示を受け付けるまで継続するように制御する表示制御手段とを備える。【選択図】図１
2008079137.tif 000002
【特許請求の範囲】
【請求項１】
撮影指示に応じて画像を撮影する撮影手段と、
前記撮影された画像を表示する表示手段と、
前記撮影された画像を外部装置へ転送する転送指示を受け付ける転送指示受付手段と、
前記転送指示を受け付けた画像を前記外部装置へ転送する通信手段と、
前記表示手段による表示を制御する表示制御手段であって、前記撮影された画像の表示中に前記転送指示受付手段による前記転送指示の受付が可能である場合に、該画像の表示を前記転送指示を受け付けるまで継続するように制御する表示制御手段と
を備える画像処理装置。
【請求項２】
前記表示手段による前記撮影された画像の表示は、前記撮影手段による前記画像の撮影直後の表示であることを特徴とする請求項１に記載の画像処理装置。
【請求項３】
前記撮影指示を受け付ける撮影指示受付手段を更に備え、
前記撮影手段は、前記撮影指示受付手段により前記撮影指示を受け付けた場合に前記画像を撮影し、
前記撮影直後の表示は、前記撮影指示の解除に応じて行われる表示であることを特徴とする請求項２に記載の画像処理装置。
【請求項４】
前記表示手段による前記撮影された画像の表示中に、前記外部への転送指示を前記転送指示受付手段により受付可能とする動作設定を受け付ける動作設定受付手段を更に備え、
前記動作設定を受け付けた場合に、前記表示制御手段は、該画像の表示を前記転送指示を受け付けるまで継続するように前記表示手段を制御することを特徴とする請求項１乃至３のいずれかに記載の画像処理装置。
【請求項５】
前記表示手段に表示された画像を、前記外部装置に転送する画像から除外するための操作を受け付ける第１の選択手段を更に備え、
前記表示制御手段は、前記転送指示または前記第１の選択手段に対する操作のいずれかを先に受け付けるまで、前記表示を継続するように前記表示手段を制御することを特徴とする請求項１乃至４のいずれかに記載の画像処理装置。
【請求項６】
前記第１の選択手段は、前記撮影指示を受け付ける撮影指示受付手段と同一の操作手段であって、
前記撮影された画像が前記表示制御手段により前記表示手段に表示されていない状態で、前記操作手段に対する操作を受け付けた場合には、該操作は前記撮影指示受付手段に対する操作として受け付けられ、
前記撮影された画像が前記表示手段に表示された状態で、前記操作手段に対する操作を受け付けた場合には、該操作は前記第１の選択手段に対する操作として受け付けられる
ことを特徴とする請求項５に記載の画像処理装置。
【請求項７】
前記表示制御手段は、１回の撮影指示に応じて前記撮影手段により撮影された画像を、前記表示手段に表示させることを特徴とする請求項１乃至６のいずれかに記載の画像処理装置。
【請求項８】
前記表示制御手段は、
前記１回の撮影指示に応じて前記撮影手段により１枚の画像が撮影された場合には、該１枚の画像を前記表示手段に表示させ、
前記１回の撮影指示に応じて前記撮影手段により複数枚の画像が撮影された場合には、該複数枚の画像を前記表示手段に並べて表示させる
ことを特徴とする請求項７に記載の画像処理装置。
【請求項９】
前記複数枚の画像が前記表示手段に表示される場合に、該複数枚の画像の中から前記外部装置へ転送する画像を選択するための第２の選択手段を更に備え、
前記通信手段は、前記選択手段により選択された画像を、前記外部装置に転送することを特徴とする請求項８に記載の画像処理装置。
【請求項１０】
前記表示制御手段は、
撮影された第１の画像を前記表示手段に表示させる以前に更なる撮影指示が行われた場合、前記第１の画像の表示を抑制し、
前記更なる撮影指示の解除に応じて、該更なる撮影指示に応じて撮影された第２の画像より先に、前記第１の画像を前記表示手段に表示させる
ことを特徴とする請求項１乃至９のいずれかに記載の画像処理装置。
【請求項１１】
撮影指示に応じて撮影部により画像を撮影する撮影工程と、
前記撮影された画像を表示部に表示する表示工程と、
前記撮影された画像を外部装置へ転送する転送指示を受け付ける転送指示受付工程と、
前記転送指示を受け付けた画像を通信部により前記外部装置へ転送する転送工程とを備え、
前記撮影された画像の表示中に前記転送指示の受付が可能である場合に、該画像の表示が前記転送指示を受け付けるまで継続されることを特徴とする画像処理装置の制御方法。
【請求項１２】
前記表示工程における前記撮影された画像の表示は、前記撮影部による前記画像の撮影直後の表示であることを特徴とする請求項１１に記載の画像処理装置の制御方法。
【請求項１３】
前記撮影指示を撮影指示受付部により受け付ける撮影指示受付工程を更に備え、
前記撮影工程では、前記撮影指示受付部により前記撮影指示を受け付けた場合に前記画像が撮影され、
前記撮影直後の表示は、前記撮影指示の解除に応じて行われる表示であることを特徴とする請求項１２に記載の画像処理装置の制御方法。
【請求項１４】
前記表示部による前記撮影された画像の表示中に、前記外部への転送指示を受付可能とする動作設定を受け付ける動作設定受付工程を更に備え、
前記動作設定を受け付けた場合に、該画像の表示が前記転送指示を受け付けるまで継続されることを特徴とする請求項１１乃至１３のいずれかに記載の画像処理装置の制御方法。
【請求項１５】
前記表示部に表示された画像を、前記外部装置に転送する画像から除外するための第１の選択部に対する操作を受け付ける第１の選択工程を更に備え、
前記転送指示または前記第１の選択部に対する操作のいずれかを先に受け付けるまで、前記表示部における表示が継続されることを特徴とする請求項１１乃至１４のいずれかに記載の画像処理装置の制御方法。
【請求項１６】
前記第１の選択部は、前記撮影指示を受け付ける撮影指示受付部と同一の操作部であって、
前記撮影された画像が前記表示部に表示されていない状態で、前記操作部に対する操作を受け付けた場合には、該操作は前記撮影指示受付部に対する操作として受け付けられ、
前記撮影された画像が前記表示部に表示された状態で、前記操作部に対する操作を受け付けた場合には、該操作は前記第１の選択部に対する操作として受け付けられる
ことを特徴とする請求項１５に記載の画像処理装置の制御方法。
【請求項１７】
前記表示工程では、１回の撮影指示に応じて前記撮影工程において撮影された画像を、前記表示部に表示することを特徴とする請求項１１乃至１６のいずれかに記載の画像処理装置の制御方法。
【請求項１８】
前記表示工程では、
前記１回の撮影指示に応じて前記撮影部により１枚の画像が撮影された場合には、該１枚の画像を前記表示部に表示し、
前記１回の撮影指示に応じて前記撮影部により複数枚の画像が撮影された場合には、該複数枚の画像を前記表示部に並べて表示する
ことを特徴とする請求項１７に記載の画像処理装置の制御方法。
【請求項１９】
前記複数枚の画像が前記表示部に表示される場合に、該複数枚の画像の中から前記外部装置へ転送する画像を選択するための第２の選択工程を更に備え、
前記転送工程では、前記第２の選択工程において選択された画像が前記外部装置に転送されることを特徴とする請求項１８に記載の画像処理装置の制御方法。
【請求項２０】
前記表示工程では、
撮影された第１の画像を前記表示部に表示させる以前に更なる撮影指示が行われた場合、前記第１の画像の表示が抑制され、
前記更なる撮影指示の解除に応じて、該更なる撮影指示に応じて撮影された第２の画像より先に、前記第１の画像を前記表示部に表示される
ことを特徴とする請求項１１乃至１９のいずれかに記載の画像処理装置の制御方法。
【請求項２１】
コンピュータを、請求項１乃至１０のいずれかに記載の各手段を備える画像処理装置として機能させるためのコンピュータプログラム。
【請求項２２】
請求項２１に記載のコンピュータプログラムを記憶したコンピュータで読み取り可能な記憶媒体。
【発明の詳細な説明】
【技術分野】
【０００１】
本発明は、画像処理装置およびその制御方法、コンピュータプログラム、記憶媒体に関する。
【背景技術】
【０００２】
デジタルカメラ等の撮像機器は、CCD、CMOSなどの撮像素子による光学像を電気信号に変換し、デジタル画像としてコンパクトフラッシュ（登録商標）、SDカードおよびハードディスクといったリムーバブルな記録媒体または固定の記録媒体に記録することができる。デジタルカメラはフィルムを使用していた銀塩カメラと違い撮影枚数を気にせずに撮影が行える利点がある。また、デジタルスチルカメラの中には、内臓型又は外部接続アクセサリを利用してパーソナルコンピュータやネットワークハードディスク等の外部装置に有線LANや無線LANなどの通信によって撮影した画像データを転送できるものも増えてきた（特許文献１を参照。）。
【０００３】
現在のデジタルカメラでの画像転送モードには、以下のものがある。まず、デジタルスチルカメラで撮影した撮影画像データはすべて転送画像データの対象と判断し、通信を利用して外部装置に転送するモードがある。また、すでに記録媒体に記録している画像データを、デジタルカメラ本体のＴＦＴなどの表示部材と操作部材を利用するか、或いは、日付などの一定の条件に照らし合わせるかして選択し、転送するモードがある。更に、撮影後すぐに撮影画像と併せて該画像を通信で外部装置に転送するかどうかのメニューをＴＦＴに表示し、ユーザーの判断のもと通信を行う転送モードなどがある。
【０００４】
しかしながら、撮影した画像を自動的に全て通信で外部装置に転送するモードの場合、撮影者の意図に反した手ぶれ画像やピンぼけ画像、構図の失敗画像等までが自動的に転送先に転送されてしまうという問題があった。
【０００５】
このように不必要な画像データまで転送すると、必要な画像データは不必要な画像データの通信終了後に処理されることになるので、画像転送先へ転送される時間が遅くなる。また通信先の外部装置の記録媒体にも当然に記録容量の限界があるため不必要な画像データを転送することは、その観点からも無駄である。
【０００６】
また、撮影後画像を直ぐにTFTに表示させ、さらにその画像を送るか送らないかを判断する画面をTFTに表示しユーザーに判断する転送方法も、ＴＦＴ表示の継続時間が短い場合には、有効に機能しない。
【特許文献１】特開２０００−３３０８５３号公報
【発明の開示】
【発明が解決しようとする課題】
【０００７】
このように、転送したい画像を確実に選択し、転送不必要なデータは転送せずに必要な画像だけ転送することが困難であった。
【０００８】
本発明はこのような事情に鑑みてなされたものであり、転送したい画像を確実に選択し、転送不必要なデータは転送せずに必要な画像だけ転送可能とすることを目的とする。
【課題を解決するための手段】
【０００９】
上記課題を解決するための本発明は、画像処理装置であって、
撮影指示に応じて画像を撮影する撮影手段と、
前記撮影された画像を表示する表示手段と、
前記撮影された画像を外部装置へ転送する転送指示を受け付ける転送指示受付手段と、
前記転送指示を受け付けた画像を前記外部装置へ転送する通信手段と、
前記表示手段による表示を制御する表示制御手段であって、前記撮影された画像の表示中に前記転送指示受付手段による前記転送指示の受付が可能である場合に、該画像の表示を前記転送指示を受け付けるまで継続するように制御する表示制御手段と
を備えることを特徴とする。
【発明の効果】
【００１０】
本発明によれば、転送したい画像を確実に選択し、転送不必要なデータは転送せずに必要な画像だけ転送可能となる。
【発明を実施するための最良の形態】
【００１１】
以下、図面を参照して本発明の実施形態を説明する。
【００１２】
（第１の実施形態）
図１は、本発明の実施形態の構成を示す図である。図１において、１００は、本実施形態に対応する画像処理装置である。画像処理装置１００は、例えばデジタルカメラとして実施することができる。また、画像撮影機能を有するパーソナルコンピュータや携帯電話、ＰＤＡ等としても実現することができる。
【００１３】
画像処理装置１００において、１０は撮影レンズ、１２は絞り機能を備えるシャッター、１４は光学像を電気信号に変換する撮像素子、１６は撮像素子１４のアナログ信号出力をディジタル信号に変換するＡ／Ｄ変換器である。１８は撮像素子１４、 Ａ／Ｄ変換器１６、 Ｄ／Ａ変換器２６にクロック信号や制御信号を供給するタイミング発生部であり、メモリ制御部２２及びシステム制御部５０により制御される。
【００１４】
２０は画像処理部であり、Ａ／Ｄ変換器１６からのデータ或いはメモリ制御部２２からのデータに対して所定の画素補間処理や色変換処理を行う。また、画像処理部２０においては、撮像した画像データを用いて所定の演算処理を行う。システム制御部５０は、得られた演算結果に基づいて露光制御部４０、測距制御部４２に対して制御を行う、TTL（スルー・ザ・レンズ）方式のAF（オートフォーカス）処理、AE（自動露出）処理、ＥＦ（フラッシュプリ発光）処理を行う。
【００１５】
さらに、画像処理部２０においては、撮像した画像データを用いて所定の演算処理を行い、得られた演算結果に基づいてTTL方式のAWB（オートホワイトバランス）処理も行っている。
【００１６】
２２はメモリ制御部であり、Ａ／Ｄ変換器１６、タイミング発生部１８、画像処理部２０、画像表示メモリ２４、Ｄ／Ａ変換器２６、メモリ３０、圧縮・伸長部３２を制御する。Ａ／Ｄ変換器１６のデータが画像処理部２０、メモリ制御部２２を介して、或いはＡ／Ｄ変換器１６のデータが直接メモリ制御部２２を介して、画像表示メモリ２４或いはメモリ３０に書き込まれる。
【００１７】
２４は画像表示メモリ、２６はＤ／Ａ変換器、２８はTFT LCD等から成る画像表示部であり、画像表示メモリ２４に書き込まれた表示用の画像データはＤ／Ａ変換器２６を介して画像表示部２８により表示される。画像表示部２８を用いて撮像した画像データを逐次表示すれば、電子ファインダー機能を実現することが可能である。また、画像表示部２８は、システム制御部５０の指示により任意に表示をON/OFFすることが可能であり、表示をOFFにした場合には画像処理装置１００の電力消費を大幅に低減することができる。
【００１８】
３０は撮影した静止画像や動画像を格納するためのメモリであり、所定枚数の静止画像や所定時間の動画像を格納するのに十分な記憶量を備えている。これにより、複数枚の静止画像を連続して撮影する連射撮影やパノラマ撮影の場合にも、高速かつ大量の画像書き込みをメモリ３０に対して行うことが可能となる。また、メモリ３０はシステム制御部５０の作業領域としても使用することが可能である。
【００１９】
３２は適応離散コサイン変換（ＡＤＣＴ）等により画像データを圧縮伸長する圧縮・伸長部であり、メモリ３０に格納された画像を読み込んで圧縮処理或いは伸長処理を行い、処理を終えたデータをメモリ３０に書き込む。
【００２０】
４０は絞り機能を備えるシャッター１２を制御する露光制御部であり、フラッシュ４８と連携することによりフラッシュ調光機能も有するものである。４２は撮影レンズ１０のフォーカシングを制御する測距制御部、４４は撮影レンズ１０のズーミングを制御するズーム制御部、４６はバリアである保護部１０２の動作を制御するバリア制御部である。４８はフラッシュであり、AF補助光の投光機能、フラッシュ調光機能も有する。
【００２１】
露光制御部４０、測距制御部４２はTTL方式を用いて制御されており、撮像した画像データを画像処理部２０によって演算した演算結果に基づき、システム制御部５０が露光制御部４０、測距制御部４２に対して制御を行う。５０は画像処理装置１００全体を制御するシステム制御部、５２はシステム制御部５０の動作用の定数、変数、プログラム等を記憶するメモリである。
【００２２】
５４はシステム制御部５０でのプログラムの実行に応じて、文字、画像、音声等を用いて動作状態やメッセージ等を表示する液晶表示装置、スピーカー等の表示部である。この表示部５４は画像処理装置１００の操作部近辺の視認し易い位置に単数或いは複数個所設置され、例えばLCDやLED、発音素子等の組み合わせにより構成されている。
【００２３】
また、表示部５４は、その一部の機能が光学ファインダー１０４内に設置されている。表示部５４の表示内容のうち、LCD等に表示するものとしては、シングルショット/連写撮影表示、セルフタイマー表示、圧縮率表示、記録画素数表示、記録枚数表示、残撮影可能枚数表示、シャッタースピード表示、絞り値表示、露出補正表示がある。また、フラッシュ表示、赤目緩和表示、マクロ撮影表示、ブザー設定表示、時計用電池残量表示、電池残量表示、エラー表示、複数桁の数字による情報表示、記録媒体２００及び２１０の着脱状態表示、通信I/F動作表示、日付け・時刻表示、等がある。表示部５４の表示内容のうち、光学ファインダー１０４内に表示するものとしては、合焦表示、手振れ警告表示、フラッシュ充電表示、シャッタースピード表示、絞り値表示、露出補正表示、等がある。５６は電気的に消去・記録可能な不揮発性メモリであり、例えばEEPROM等が用いられる。
【００２４】
６０、６２、６４、６６、６８及び７０は、システム制御部５０の各種の動作指示を入力するための操作部であり、スイッチやダイアル、タッチパネル、視線検知によるポインティング、音声認識装置等の単数或いは複数の組み合わせで構成される。以下、これらの操作部の具体的な説明を行う。
【００２５】
６０はモードダイアルスイッチで、電源オフ、自動撮影モード、撮影モード、パノラマ撮影モード、再生モード、マルチ画面再生・消去モード、PC接続モード等の各機能モードを切り替え設定することができる。
【００２６】
６２はシャッタースイッチＳＷ１で、不図示のシャッターボタンの操作途中でONとなり、AF（オートフォーカス）処理、AE（自動露出）処理、AWB（オートホワイトバランス）処理、ＥＦ（フラッシュプリ発光）処理等の動作開始を指示する。
【００２７】
６４はシャッタースイッチＳＷ２で、不図示のシャッターボタンの操作完了でONとなり、以下の一連の処理の動作開始が指示される。当該一連の処理には、撮像素子１２から読み出した信号をＡ／Ｄ変換器１６、メモリ制御部２２を介してメモリ３０に画像データを書き込む露光処理、画像処理部２０やメモリ制御部２２での演算を用いた現像処理が含まれる。また、メモリ３０から画像データを読み出し、圧縮・伸長部３２で圧縮を行い、記録媒体２００或いは２１０に画像データを書き込む記録処理も含まれる。
【００２８】
６６は画像表示ON/OFFスイッチで、画像表示部２８のON/OFFを設定することができる。この機能により、光学ファインダー１０４を用いて撮影を行う際に、TFT LCD等から成る画像表示部への電流供給を遮断することにより、省電力を図ることが可能となる。
【００２９】
６８はクイックレビューON/OFFスイッチで、撮影直後に撮影した画像データを自動再生するクイックレビュー機能を設定する。なお、本実施形態では特に、画像表示部２８をOFFとした場合におけるクイックレビュー機能の設定をする機能を備えるものとする。
【００３０】
３００はカメラ機能を割り付け可能な釦である（以下  セット釦）。セット釦を押す事で機能がONされる。例えば、設定メニューのある項目を直ぐにTFTに表示したい場合は、Set釦の割付機能としてその表示機能を割り付ける事で、Set釦を押すと直ぐに所望のメニューが表示される。本発明ではこのセット釦は撮影時クイックレビューした画像をパーソナルコンピュータなどにカメラの通信機能経由で転送する画像として選択するかを決める釦として使用する。セット釦が押されるとクイックレビューされている画像が転送する画像として選択され、転送処理が一連で処理される。
【００３１】
３０１は画像選択釦である。この釦を押すと画像選択モードに入り、３０２の選択ダイアルを回すことで現在TFTに表示されている画像に対して処理を行うフォーカスをあてることができる。この詳細は、図３、図８を参照して後述する。
【００３２】
７０は各種ボタンやタッチパネル等からなる操作部で、例えば以下が含まれる。
まず、メニューボタン、マクロボタン、マルチ画面再生改ページボタン、フラッシュ設定ボタン、単写/連写/セルフタイマー切り替えボタン、メニュー移動＋（プラス）ボタン、メニュー移動−（マイナス）ボタンである。さらには、再生画像移動＋（プラス）ボタン、再生画像−（マイナス）ボタン、撮影画質選択ボタン、露出補正ボタン、日付/時間設定ボタン、ブラケット撮影モードの選択釦ボタン、等である。なお、ブラケット撮影モードとは、ＡＥ（露出）、ＷＢ（ホワイトバランス）、ＭＦ（ピント位置）、フラッシュ発光量などの設定値を１枚ずつ変えながら複数枚の画像撮影を行う撮影モードをいう。
【００３３】
８０は電源制御部で、電池検出部、DC-DCコンバータ、通電するブロックを切り替えるスイッチ部等により構成される。電源制御部８０は、電池の装着の有無、電池の種類、電池残量の検出を行い、検出結果及びシステム制御部５０の指示に基づいてDC-DCコンバータを制御し、必要な電圧を必要な期間、記録媒体を含む各部へ供給する。
【００３４】
８２はコネクタ、８４はコネクタ、８６はアルカリ電池やリチウム電池等の一次電池やNiCd電池やNiMH電池、Li電池等の二次電池、ACアダプター等からなる電源部である。９０及び９４はメモリカードやハードディスク等の記録媒体とのインタフェースである。９２及び９６はメモリカードやハードディスク等の記録媒体と接続を行うコネクタである。９８はコネクタ９２及び或いは９６に記録媒体２００或いは２１０が装着されているか否かを検知する記録媒体着脱検知部である。
【００３５】
なお、本実施形態では記録媒体を取り付けるインタフェース及びコネクタを２系統持つものとして説明している。もちろん、記録媒体を取り付けるインタフェース及びコネクタは、単数或いは複数、いずれの系統数を備える構成としても構わない。また、異なる規格のインタフェース及びコネクタを組み合わせて備える構成としても構わない。インタフェース及びコネクタとしては、PCMCIAカードやCF（コンパクトフラッシュ（登録商標））カード等の規格に準拠したものを用いて構成して構わない。
【００３６】
さらに、インタフェース９０及び９４、そしてコネクタ９２及び９６をPCMCIAカードやCF（コンパクトフラッシュ（登録商標））カード等の規格に準拠したものを用いて構成した場合を考える。この場合、各種通信カードを接続することにより、他のコンピュータやプリンタ等の周辺機器との間で画像データや画像データに付属した管理情報を転送し合うことができる。なお、各種通信カードには、LANカードやモデムカード、USBカード、IEEE１３９４カード、P１２８４カード、SCSIカード、PHS等の通信カード、等が含まれる。
【００３７】
１０２は、画像処理装置１００のレンズ１０を含む撮像部を覆う事により、撮像部の汚れや破損を防止するバリアである保護部である。１０４は光学ファインダーであり、画像表示部２８による電子ファインダー機能を使用すること無しに、光学ファインダーのみを用いて撮影を行うことが可能である。また、光学ファインダー１０４内には、表示部５４の一部の機能、例えば、合焦表示、手振れ警告表示、フラッシュ充電表示、シャッタースピード表示、絞り値表示、露出補正表示などが設置されている。
【００３８】
１１０は通信部で、RS２３２CやUSB、IEEE１３９４、P１２８４、SCSI、モデム、LAN、無線通信、等の各種通信機能を有する。１１２は通信部１１０により画像処理装置１００を他の機器と接続するコネクタ或いは無線通信の場合はアンテナである。２００はメモリカードやハードディスク等の記録媒体である。
【００３９】
記録媒体２００は、半導体メモリや磁気ディスク等から構成される記録部２０２、画像処理装置１００とのインタフェース２０４、画像処理装置１００と接続を行うコネクタ２０６を備えている。２１０はメモリカードやハードディスク等の記録媒体である。記録媒体２１０は、半導体メモリや磁気ディスク等から構成される記録部２１２、画像処理装置１００とのインタフェース２１４、画像処理装置１００と接続を行うコネクタ２１６を備えている。
【００４０】
次に、図２ａ及び図２ｂを参照して、第１の実施形態の動作を説明する。図２ａ及び図２ｂは本実施形態の画像処理装置１００の主ルーチンのフローチャートを示す。
【００４１】
ステップＳ２０１において、電池交換等の電源投入により、システム制御部５０はフラグや制御変数等を初期化する初期設定処理が行われる。続くステップＳ２０２では、画像表示部２８の画像表示をOFF状態に設定する。
【００４２】
ステップＳ２０３においてシステム制御部５０は、モードダイアル６０の設定位置を判定する。もし、モードダイアル６０が電源OFFに設定されていたならば（Ｓ２０３において「電源ＯＦＦ」）、ステップＳ２０５に移行する。また、撮影モードに設定されていた場合は（ステップＳ２０３において「撮影モード」）、ステップＳ２０６へ移行する。更に、その他のモードに設定されていた場合には（ステップＳ２０３において「その他のモード」）、ステップＳ２０４に移行する。
【００４３】
ステップＳ２０４においてシステム制御部５０は、選択されたモードに応じた処理を実行し、処理を終えたならばＳ２０３に戻って、モードダイアルの設定位置の判定を繰り返す。
【００４４】
ステップＳ２０５では、システム制御部５０は終了処理を行う。具体的に、各表示部の表示を終了状態に変更し、保護部１０２のバリアを閉じて撮像部を保護し、フラグや制御変数等を含む必要なパラメータや設定値、設定モードを不揮発性メモリ５６に記録する。また、電源制御部８０により画像表示部２８を含む画像処理装置１００各部の不要な電源を遮断する等の処理を行う。その後、ステップＳ２０３に戻る。
【００４５】
ステップＳ２０６においてシステム制御部５０は、電源制御部８０により電池等により構成される電源８６の残容量や動作情況が画像処理装置１００の動作に問題があるか否かを判定する。もし、問題がある場合には（ステップＳ２０６において「ＮＯ」）、ステップＳ２０８に移行する。ステップＳ２０８では、表示部５４を用いて画像や音声により所定の警告表示を行った後、ステップＳ１０３に戻る。
【００４６】
一方、電源８６に問題が無い場合には（ステップＳ２０６において「ＹＥＳ」）、ステップＳ２０７に移行する。ステップＳ２０７においてシステム制御部５０は、記録媒体２００或いは２１０の動作状態が、画像処理装置１００の動作、特に記録媒体に対する画像データの記録再生動作に問題があるか否かを判定する。もし、問題がある場合は（ステップＳ２０７において「ＮＯ」）、ステップＳ２０８に移行する。ステップＳ２０８では、表示部５４を用いて画像や音声により所定の警告表示を行った後に、ステップＳ２０３に戻る。
【００４７】
一方、記録媒体２００或いは２１０の動作状態に問題が無い場合は（ステップＳ２０７において「ＹＥＳ」）、ステップＳ２０９に移行する。ステップＳ２０９では、表示部５４を用いて画像や音声により画像処理装置１００の各種設定状態の表示を行う。なお、画像表示部２８の画像表示がＯＮであったならば、画像表示部２８も用いて画像や音声により画像処理装置１００の各種設定状態の表示を行う。このとき、画像転送モードの設定画面として、例えば図４（ａ）に示されるような画面４００が表示される。
【００４８】
ユーザーは、図４（ａ）に示す画面表示において、操作部７０を操作して、画像転送モードを設定することができる。ステップＳ２１０では、ここで撮影時画像選択転送モードが選択されたか否かを判定する。なお、本実施形態に対応する画像転送モードには以下の３種類がある。
【００４９】
（１）撮影時自動転送モード４０１：撮影時に順次自動的に画像を転送する。
（２）画像選択転送モード４０２：撮影後記録媒体２００或いは２１０に記録された画像を画像表示部２８に表示し、画像選択釦３０１と選択ダイアル３０２を利用して選択された画像のみを転送する。
（３）撮影時画像選択転送モード４０３：撮影時画像をクイックレビュー表示し、セット釦３００を使用し、その画像を転送するか否かを選択し転送させる。
【００５０】
上記において、画像選択転送モードでは記録媒体２００或いは２１０に記録されている画像を１枚単位、フォルダ単位或いは記録媒体単位で選択して、転送することができる。この場合、１枚転位での選択以外はフォルダ単位やメディア単位で画像を選択して転送するので本当に転送したい画像以外の画像まで転送対象となってしまう。また、撮影時自動転送モードでも、撮影した順番に撮影した画像が全て転送されるので、本来転送不要な画像まで転送されてしまう。
【００５１】
もし、撮影時画像選択転送モード４０３が選択された場合には（ステップＳ２１０において「ＹＥＳ」）、ステップＳ２１１に移行する。一方、撮影時画像選択転送モード４０３以外が選択された場合には（ステップＳ２１０において「ＮＯ」）、ステップＳ２１９に移行する。
【００５２】
ステップＳ２１１では、クイックレビューがＯＮ設定になっていない場合は、クイックレビュー表示をＯＮ設定とする。さらにステップＳ２１２において、クイックレビューの表示時間を設定する。ステップＳ２１３では、クイックレビューの表示時間の変更があったか否かを判定する。もし、変更があった場合には（ステップＳ２１３において「ＹＥＳ」）、ステップＳ２１４に移行する。変更がなかった場合には（ステップＳ２１３において「ＮＯ」）、ステップＳ２１９に移行する。本実施形態では、何かの操作がされるまで表示部５４に表示し続ける「ホールド」状態に設定する。そこで、ステップＳ２１４では、図４（ｂ）に示すような画面４１０を用いて、ユーザーに対してクイックレビューの表示時間の変更があった旨を通知する。図４（ｂ）では、クイックレビューの表示時間が、１秒設定４１１からホールド設定４１３に変更されたことが、点滅表示にて通知される。
【００５３】
なお、本実施形態では、クイックレビューONする前の設定値と、クイックレビューの表示時間をホールドにする前の設定値とをカメラ電源ON中はメモリ５２上に保存しておく。また、電源OFFの場合は、不揮発性メモリ５６にその内容を保存してもよいし、しなくてもよい。この不揮発性メモリ５６に保存をするか／しないかは、画像転送モードを撮影時画像選択転送モード４０３から別のモードに切り替えた時に、クイックレビューに関する設定を撮影時画像選択転送モード４０３以前の状態に戻すか否かで決定される。
【００５４】
なお、図４（ｃ）及び（ｄ）に示すように、撮影時画像選択転送モード４０３から別の画像転送モードを選択した場合には、メモリ５２上に保存された設定値に基づき、以前のクイックレビュー表示時間に戻る。
【００５５】
ステップＳ２１９では、シャッタースイッチＳＷ１の状態が判定される。もし、シャッタースイッチＳＷ１が押されていないならば（ステップＳ２１９において「ＯＦＦ」）、ステップＳ２０３に戻る。一方、シャッタースイッチＳＷ１が押されたならば（ステップＳ２１９において「ＯＮ」）、ステップＳ２２０に進む。ステップＳ２２０では、測距・測光処理を実行し、ステップＳ２２１に移行する。なお、測光測距処理の詳細については、図９を参照して後述する。
【００５６】
次に、ステップＳ２２１では、シャッタースイッチＳＷ２の状態が判定される。もし、シャッタースイッチＳＷ２が押されていないならば（ステップＳ２２１において「ＯＦＦ」）、ステップＳ２２２に移行する。もし、シャッタースイッチＳＷ２が押されたならば（ステップＳ２２１において「ＯＮ」）、ステップＳ２２３に移行する。
【００５７】
ステップＳ２２２では、シャッタースイッチＳＷ１の状態を再度判定する。もし、シャッタースイッチＳＷ１が解除されたならば（ステップＳ２２２において「ＯＦＦ」）、ステップＳ２０３に戻る。一方、解除されていないならば（ステップＳ２２２において「ＯＮ」）、ステップＳ２２１に戻る。
【００５８】
ステップＳ２１３においてシステム制御部５０は、撮影処理を実行する。この撮影処理では、撮像素子１２、Ａ／Ｄ変換器１６、画像処理部２０、メモリ制御部２２を介して、或いはＡ／Ｄ変換器から直接メモリ制御部２２を介して、メモリ３０に撮影した画像データを書き込む露光処理を行う。また、メモリ制御部２２そして必要に応じて画像処理部２０を用いて、メモリ３０に書き込まれた画像データを読み出して各種処理を行う現像処理を行う。この撮影処理の詳細については、図１０を参照して後述する。
【００５９】
撮影処理の後、ステップＳ２２４では、シャッタースイッチＳＷ２の状態が判定される。もし、シャッタースイッチＳＷ２が押されている場合は（ステップＳ２２４において「ＯＮ」）、ステップＳ２２５に移行する。ステップＳ２２５では、連続撮影の設定がなされているかを判定する。もし、連続撮影の設定がなされている場合には（ステップＳ２２５において「ＹＥＳ」）、ステップＳ２２３に戻って撮影処理を繰り返す。一方、連続撮影の設定がなされていない場合には（ステップＳ２２５において「ＮＯ」）、ステップＳ２２４に戻って、シャッタースイッチＳＷ２がOFFされるまで、この判定を継続する。
【００６０】
シャッタースイッチＳＷ２がOFFとなった場合（ステップＳ２２４において「ＯＦＦ」）、ステップＳ２２６に移行する。ステップＳ２２６では、シャッタースイッチＳＷ１の状態を判定する。シャッタースイッチＳＷ１が押されていない場合には（ステップＳ２２６において「ＯＦＦ」）、ステップＳ２２７に移行する。一方、シャッタースイッチＳＷ１が押されている場合には（ステップＳ２２６において「ＯＮ」）、ステップＳ２２１に移行する。
【００６１】
ステップＳ２２７では、クイックレビューがＯＮ設定となっているか否かを判定する。もし、ＯＮ設定の場合には（ステップＳ２２７において「ＹＥＳ」）、ステップＳ２２８に移行する。一方、ＯＮ設定でない場合には（ステップＳ２２７において「ＮＯ」）、ステップＳ２３２に移行する。
【００６２】
ステップＳ２２８では、表示部５４を用いて撮影画像のクイックレビュー表示を行う。続くステップＳ２２９では、画像転送モードが撮影時画像選択転送モード４０３に設定されているかを判定する。もし、撮影時画像選択転送モードに設定されていない場合には（ステップＳ２２９において「ＮＯ」）、ステップＳ２３１に移行する。
【００６３】
また、撮影時画像選択転送モードに設定されている場合には（ステップＳ２２９において「ＹＥＳ」）、ステップＳ２３０に移行する。ステップＳ２３０では、撮影時画像選択転送モード処理を行って、ステップＳ２３１に移行する。撮影時画像選択転送モード処理の詳細は、クイックレビュー表示の具体例と共に図３及び図５乃至図８を参照して後述する。
【００６４】
次に、ステップＳ２３１では、未処理の画像データが有るか否かを判定する。もし、未処理の画像データがある場合（ステップＳ２３１において「ＹＥＳ」）、ステップＳ２２７に戻る。一方、未処理の画像データが存在しない場合には（ステップＳ２３１において「ＮＯ」）、ステップＳ２３２に移行する。ステップＳ２３２では、シャッタースイッチＳＷ１の状態を判定する。もし、シャッタースイッチＳＷ１が押された状態であったならば（ステップＳ２３２において「ＯＮ」）、システム制御部５０は、ステップＳ２２１に戻って次の撮影に備える。一方、シャッタースイッチＳＷ１が解除されている場合は（ステップＳ２３２において「ＯＦＦ」）、システム制御部５０は、一連の撮影動作を終えてステップＳ２０３に戻る。
【００６５】
以下、図３及び図５乃至図８を参照して、上記ステップＳ２２９及びＳ２３０における処理を説明する。
【００６６】
まず、図５（ａ）は単写モードの場合を示し、図５（ｂ）は、連写モード又はブラケット撮影モードの場合を示す。図２ａ及び図２ｂのフローチャートに示す本実施形態では、シャッタースイッチＳＷ１（６２）、ＳＷ２（６４）によってシステム制御５０の制御で撮影が行われる。図５においてはＳＷ１及びＳＷ２のシャッタースイッチ動作は、ON状態がLowの線で、OFF状態がHiの線で示されている。クイックレビューの表示はＳＷ１がOFF状態の場合に表示され、ＳＷ１がＯＮ状態の場合に消える。
【００６７】
図５（ａ）では、時刻ｔ１においてＳＷ１がＯＮ状態となり、時刻ｔ２においてＳＷ２がＯＮ状態となると、露光が行われる。その後、時刻ｔ３においてＳＷ２がＯＦＦ状態となり、更に時刻ｔ４においてＳＷ１がＯＦＦとなると、システム制御５０はクイックレビューフラグのチェックを行って、フラグがＯＮの場合には、時刻ｔ５よりクイックレビューを表示部５４に表示する。
【００６８】
この単写モードの場合のクイックレビュー表示の一例を図６（ａ）に示す。図６（ａ）では、表示部５４に対応する画面６００において、単写モードにおいて撮影された画像データ６０２のクイックレビュー表示が、シングル画面表示の形式にて行われる。このような表示状態においてセット釦３００が操作（ＯＮ）されると、表示されている画像を転送画像として決定し、通信１１０から外部のパーソナルコンピュータもしくはネットワークHDDに転送することができる。なお、ダイアル６０１は、連写モードまたはブラケット撮影モードにおいて選択画像を切り替えるために利用される。一方、当該画像を転送したくない場合は、ＳＷ１をＯＮすることでクイックレビュー表示を終了することができる。
【００６９】
図５（ａ）では、時刻ｔ５以降のＳＷ１がＯＦＦ状態にある期間が、画像を転送対象として選択するか、或いは、転送対象から除外することが可能な期間としなる。図５（ａ）では時刻ｔ７にＳＷ１がＯＮとなっている。これにより、直前まで画面６００でクイックレビュー表示されていた画像は、転送対象の画像から除外される。また、時刻ｔ６でセット釦３００がＯＮになれば、そのときクイックレビュー表示されている画像が転送画像として選択され、転送処理が行われる。
【００７０】
また、時刻ｔ４とｔ５との間に、シャッタースイッチＳＷ１が操作され、単写モードにおいて連続して撮影が行われる場合には、該操作は、通常のシャッター動作として認識される。このように、単写モードにおいて連続に複数回の単写を行うと、画像データが複数発生する。例えば、５枚単写で撮影したとする。時刻ｔ５以前にシャッターボタンＳＷ１を操作して５枚単写で撮影すれば、撮影した画像をクイックレビューするタイミングが無く、画像を選択するタイミングも無い。このようにクイックレビューをしていない画像で、かつ、転送対象画像としての選択処理が行われていない画像データは、その後にＳＷ１がＯＦＦとなってｔ５が経過したタイミングでクイックレビューが行われる。
【００７１】
その際、クイックレビューが行われなかった複数の画像のうち、最初に撮影した１枚目の撮影画像からクイックレビューが行われる。表示された１枚目の撮影画像はセット釦３００かシャッタースイッチのＳＷ１を押すことで転送するか、しないかを選択する。処理が終わると２枚目の画像がクイックレビューに表示され転送画像データとして選択されるか処理される。３枚目以降同様に処理される。
【００７２】
このようにして、連続して行われた単写に対しても、後にまとめて転送するか否かの選択を行うことができる。
【００７３】
一方、撮影モードが連続撮影モードおよびブラケット撮影モードの場合は単写モードのような１枚毎の処理ではなく、ＳＷ２がＯＮの間に撮影された連写枚数の単位での処理とブラケット撮影枚数毎の処理になる。この連写モードやブラケット撮影モードの場合は、撮影時画選択転送モードが選択されると、クイックレビュー表示がシングル画面表示からマルチ画面表示に切り替わる。マルチ画面表示では１回の連続撮影枚数の範囲、或いは、ブラケット撮影枚数の範囲で表示が行われる。
【００７４】
図５（ｂ）では、時刻ｔ１においてＳＷ１がＯＮ状態となり、時刻ｔ２においてＳＷ２がＯＮ状態となると、連写枚数に対応する露光が行われる。その後、時刻ｔ３においてＳＷ２がＯＦＦ状態となり、更に時刻ｔ４においてＳＷ１がＯＦＦとなると、システム制御５０はクイックレビューフラグのチェックを行って、フラグがＯＮの場合には、時刻ｔ５よりクイックレビューを表示部５４に表示する。
【００７５】
例えば、１回目に４枚の連写撮影を行い、次に４枚の連写撮影を、更に６枚の連写撮影をする場合を考える。複数枚の画像データが１回の撮影で連続して発生する場合、上記の例では４枚分の画像データを一つの転送画像データの選択範囲として、転送する画像か転送しない画像かをセット釦３００とシャッタースイッチＳＷ１のONで選択する。
【００７６】
即ち、図５（ｂ）に示すように、４枚分が連写されると、時刻ｔ４でＳＷ１がＯＦＦ状態となった後、時刻ｔ５より撮影された４枚分がクイックレビュー表示される。このときの表示の一例は図６（ｂ）に示すようになる。図６（ｂ）では、表示部５４に対応する画面６００において、連写された画像データ６０３から６０６のクイックレビュー表示が行われる。このような表示状態においてセット釦３００が操作（ＯＮ）されると、表示されている画像６０３から６０６を４枚で１つの選択範囲として転送画像として決定することができる。
【００７７】
連写モードやブラケット撮影モードでも、クイックレビューが行われる図５（ｂ）の時刻ｔ５以前にシャッタースイッチＳＷ１を操作して、更に連写撮影することができる。その場合、後でまとめて撮影画像が表示されることとなるが、最初の４枚の画像の選択処理が終了すると、図７（ａ）及び（ｂ）に示すように画面が切り替わり、その後に撮影された４枚分の画像データを一つの転送画像データの選択範囲として選択処理を行う。最後に６枚分の画像データを一つの転送画像データとして選択処理を行い、全ての撮影画像データに対して撮影時画像選択転送モードでの転送処理が行われる。
【００７８】
なお、上記の説明では、図６においてクイックレビューの表示を画像選択用の表示画面として兼用しているが、撮影時画像選択転送モード用の画像データ表示モードを用意してもよい。
【００７９】
また、ブラケット撮影モードの場合、撮影枚数として、２枚、３枚、５枚、７枚等が考えられる。そこで、ブラケット撮影時のクイックレビュー画面の画面分割は２から３枚の時は４分割画面とし、５から７枚の時は９分割画面とすることができる。画面の分割数の切替えは、１回に表示可能な画像枚数を超える転送画像データが選択範囲に含まれる場合に、セット釦３００やＳＷ１の操作に応じて実行される。
【００８０】
次に連写モードまたはブラケット撮影モードなどの複数撮影モードの場合、複数の画像データの中から、転送対象となる画像を選択する処理について、図８を参照して説明する。
【００８１】
図８（ａ）は、連写モードで撮影後のクイックレビュー表示を画面６００において４分割のマルチ画面表示で表示している例を示している。ここでは、４枚の画像８０１から８０４が表示されている。
【００８２】
図８（ａ）のような表示状態で、ＳＷ１がＯＮされると転送する画像はないと判定されて、次の連写画像を画面６００表示するか、クイックレビューの表示モードを終了する。一方、セット釦３００が操作された場合は、表示されている連写画像８０１から８０４のセットが転送対象画像に決定され画像転送処理が行われる。
【００８３】
本実施形態では、画像選択釦３０１と選択ダイアル３０２とを利用することで、連写撮影された画像のうち、選択した画像のみ転送対象と決定することができる。まず、撮影時画像選択転送モード時に画像選択釦３０１が操作されると、転送対象画像を画面６００に表示された複数の画像の中から選択可能となる。具体的には、フレーム８０５が画面６００上のいずれかの画像について表示される。この表示を確認して、次に選択ダイアル３０２を図８（ｂ）に示すように回転させることにより、ユーザーはフレーム８０５の表示位置を移動させることが可能である。そして、所望のフレーム位置において、セット釦３００を操作すると、フレーム８０５が位置する画像が転送対象画像に決定される。
【００８４】
例えば、図８（ｂ）に示すように、フレーム８０５が画像８０１に位置する状態で、セット釦３００が操作されれば、画像８０１が転送対象画像に決定される。その後、フレーム８０５を移動して、例えば画像８０４の位置でセット釦３００が操作されれば、画像８０４が更なる転送対象画像に決定される。
【００８５】
また、図８（ｂ）のようなフレーム８０５が表示された状態で、画像選択釦３０１が再度操作されると、フレーム８０５が消えて、転送対象画像を画面６００に表示された複数の画像の中から個々の画像を選択するモードから抜ける。この状態でセット釦３００が操作されれば、画像選択釦３０１と選択ダイアル３０２を利用した転送対象画像の選択は無効となり、その時点で画面６００に表示されている画像が転送対象画像に決定される。一方、個々の画像を選択した後、次の連写画像のセットに切り替える場合には、ＳＷ１を操作すればよい。これによりクイックレビューの表示画像が切り替わる。
【００８６】
以上をまとめて、撮影時画像選択転送モードにおける処理を図３のフローチャートを参照して説明する。
【００８７】
図３において、ステップＳ３０１では、撮影モードが単写モードに設定されているか否かを判定する。もし、単写モードに設定されている場合には（ステップＳ３０１において「ＹＥＳ」）、ステップＳ３０２に移行する。一方、連写モード或いはブラケット撮影モードに設定されている場合には（ステップＳ３０１において「ＮＯ」）、ステップＳ３０６に移行する。
【００８８】
ステップＳ３０２では、画面６００に撮影した画像をシングル画面表示においてクイックレビュー表示する。このときの表示例は上述の図５（ａ）のようになる。この表示状態において、ステップＳ３０３ではボタン操作を受け付けたか否かを判定する。もし、シャッタースイッチＳＷ１を受け付けた場合には（ステップＳ３０３において「ＳＷ１」）、本サブルーチンを終了する。
【００８９】
一方、セット釦３００の操作を受け付けた場合には（ステップＳ３０３において「セット釦３００」）、ステップＳ３０４に移行する。ステップＳ３０４では、画面６００に表示している画像を転送対象画像に決定する。続くステップＳ３０５では、該転送対象画像の転送処理を行う。その後、本サブルーチンを終了する。
【００９０】
ステップＳ３０６では、画面６００に撮影した画像をマルチ画面表示においてクイックレビュー表示する。この表示状態において、ステップＳ３０７ではボタン操作を受け付けたか否かを判定する。もし、シャッタースイッチＳＷ１を受け付けた場合には（ステップＳ３０７において「ＳＷ１」）、本サブルーチンを終了する。
【００９１】
一方、セット釦３００の操作を受け付けた場合には（ステップＳ３０７において「セット釦３００」）、ステップＳ３０４に移行する。ステップＳ３０４では、画面６００に表示している複数の画像を転送対象画像に決定する。続くステップＳ３０５では、該転送対象画像の転送処理を行う。その後、本サブルーチンを終了する。
【００９２】
更に、画像選択釦３０１の操作を受け付けた場合には（ステップＳ３０７において「画像選択釦３０１」）、ステップＳ３０８に移行する。ステップＳ３０８では、画面６００に表示している複数の画像の中から、選択ダイアル３０２及びセット釦３００の操作に基づいて転送対象画像の選択を受け付ける。続くステップＳ３０９では、転送対象画像として選択された画像の転送処理を行う。更に、ステップＳ３１０では、画像選択釦３０１が操作されたか否かを判定する。もし、操作されたと判定された場合には（ステップＳ３１０において「ＹＥＳ」）、ステップＳ３０６に戻る。もし、操作されていないと判定された場合には（ステップＳ３１０において「ＮＯ」）、ステップＳ３０８に戻って処理を継続する。
【００９３】
次に、図９を参照して、図２ｂのステップＳ２２０における測距・測光処理の詳細について説明する。
【００９４】
ステップＳ９０１において、システム制御部５０は、撮像素子１４から電荷信号を読み出し、Ａ／Ｄ変換器１６を介して画像処理部２０に撮影画像データを逐次読み込む。画像処理部２０は、逐次読み込まれた画像データを用いて、TTL（スルー・ザ・レンズ）方式のAE（自動露出）処理、EF（フラッシュプリ発光）処理、AF（オートフォーカス）処理に用いる所定の演算を行っている。
【００９５】
なお、ここでの各処理は、撮影した全画素数のうちの必要に応じた特定の部分を必要個所分切り取って抽出し、演算に用いている。これにより、TTL方式のAE、EF、AWB、AFの各処理において、中央重点モード、平均モード、評価モードの各モード等の異なるモード毎に最適な演算を行うことが可能となる。
【００９６】
ステップＳ９０２では、画像処理部２０での演算結果を用いて、システム制御部５０は露出（AE）が適正か否かを判定する。もし、適正でないと判定された場合には（ステップＳ９０２において「ＮＯ」）、ステップＳ９０３に移行して露光制御部４０を用いてAE制御を行う。これにより、露出が適正と判定されるまで、ＡＥ制御が行われることとなる。続くステップＳ９０４では、ステップＳ９０３のAE制御で得られた測定データを用いて、システム制御部５０はフラッシュが必要か否かを判定する。もし、フラッシュが必要と判定されれば（ステップＳ９０４において「ＹＥＳ」）、ステップＳ９０５に移行してフラッシュフラグをセットし、フラッシュ４８を充電する。一方、フラッシュは必要ないと判定されれば（ステップＳ９０４において「ＮＯ」）、ステップＳ９０１に戻って処理を継続する。
【００９７】
ステップＳ９０２において露出（AE）が適正と判定された場合は（ステップＳ９０２において「ＹＥＳ」）、測定データ及び或いは設定パラメータがシステム制御部５０の内部メモリ或いはメモリ５２に記憶される。
【００９８】
続くステップＳ９０６では、画像処理部２０での演算結果及びAE制御で得られた測定データを用いて、システム制御部５０はホワイトバランス（AWB）が適正か否かを判定する。もし、適正でないと判定された場合は（ステップＳ９０６において「ＮＯ」）、ステップＳ９０７に移行する。ステップＳ９０７では、画像処理部２０を用いて色処理のパラメータを調節してAWB制御を行い、ステップＳ９０１に戻る。これにより、ホワイトバランスが適正と判定される間でＡＷＢ制御が行われることとなる。
【００９９】
ホワイトバランス（AWB）が適正と判定された場合（ステップＳ９０６において「ＹＥＳ」）、測定データ及び或いは設定パラメータをシステム制御部５０の内部メモリ或いはメモリ５２に記憶する。その後、ステップＳ９０８においてAE制御及びAWB制御で得られた測定データを用いて、システム制御部５０は測距（AF）が合焦しているか否かを判定する。もし、合焦と判定された場合には（ステップＳ９０８において「ＹＳＥ」）、測定データ及び或いは設定パラメータをシステム制御部５０の内部メモリ或いはメモリ５２に記憶し、本測距・測光処理を終了する。
【０１００】
一方、合焦していないと判定された場合には（ステップＳ９０８において「ＮＯ」）、ステップＳ９０９に移行する。ステップＳ９０９では、測距制御部４２を用いてAF制御を行う。これにより、合唱するまでＡＦ制御が行われることとなる。
【０１０１】
次に、図１０を参照して、図２ｂのＳ２２３における撮影処理の詳細について説明する。
【０１０２】
まず、ステップＳ１００１において、システム制御部５０は、システム制御部５０の内部メモリ或いはメモリ５２に記憶される測光データに従い、露光制御部４０によって、絞り機能を有するシャッター１２を絞り値に応じて開放する。これにより、ステップＳ１００２において撮像素子１０を露光が開始される。
【０１０３】
ステップＳ１００３では、フラッシュ・フラグによりフラッシュ４８が必要か否かを判定する。もしフラッシュ４８が必要と判定された場合には（ステップＳ１００３において「ＹＥＳ」）、ステップＳ１００４に移行してフラッシュ発光を行う。一方、フラッシュ４８が必要ないと判定された場合には（ステップＳ１００３において「ＮＯ」）、ステップＳ１００５に移行する。
【０１０４】
ステップＳ１００５では、システム制御部５０は、測光データに従って撮像素子１２の露光が終了したか否かを判定する。もし、露光が終了した場合には（ステップＳ１００５において「ＹＥＳ」）、ステップＳ１００６に移行してシャッター１２を閉じる。続くステップＳ１００７では、撮像素子１４から電荷信号を読み出し、Ａ／Ｄ変換器１６、画像処理部２０、メモリ制御部２２を介して、或いはＡ／Ｄ変換器１６から直接メモリ制御部２２を介して、メモリ３０に撮影画像のデータを書き込む。
【０１０５】
ステップＳ１００８では、設定された撮影モードに応じて、フレーム処理を行う必要があるか否かを判定する。もし、フレーム処理が必要な場合は（ステップＳ１００８において「ＹＥＳ」）、ステップＳ１００９に移行する。フレーム処理が必要ない場合は（ステップＳ１００８において「ＮＯ」）、ステップＳ１０１１に移行する。システム制御部５０は、ステップＳ１００９においてメモリ制御部２２そして必要に応じて画像処理部２０を用いて、メモリ３０に書き込まれた画像データを読み出して垂直加算処理を行う。更に、ステップＳ１０１０において色処理を行う。処理を終えた画像データはメモリ３０に書き込まれる。
【０１０６】
ステップＳ１０１１においてシステム制御部５０は、メモリ３０から画像データを読み出し、メモリ制御部２２を介して画像表示メモリ２４に表示画像データの転送を行う。一連の処理を終えたならば、本撮影処理を終了する。
【０１０７】
以上の説明から容易に理解できるように、本発明によれば、表示された画像を釦操作とシャッタースイッチによりカメラと通信接続しているパーソナルコンピュータ等に画像転送したい画像か否かの選択を行うことができる。
【０１０８】
また、釦操作とシャッタースイッチによる転送画像データの選択は単写、連写およびブラケット撮影などの撮影モードに応じて、転送画像データの選択と転送処理の処理単位を変更することができる。
【０１０９】
さらに、単写モードの場合の撮影後の画像表示と、連写モードとブラケット撮影モードでの撮影後の画像表示とを、シングル表示画面とマルチ表示画面とで切り替えることができる。更に、該画面表示において、表示画像を一括して転送対象画像として選択することができる。その上で、マルチ表示画面では、マルチ表示画面で表示している画像の中から転送対象とすべき画像を選択し、該画像のみを転送画像データとして転送することができる。
【０１１０】
これにより、画像転送モードのうち、撮影時画像選択転送モードでは撮影した画像のうち、本当に外部の機器に転送したい画像データのみをユーザーが選択しながら転送するという動作を、撮影動作に連携して行うことが可能となる。
また、シャッターチャンスを逃すこと無く撮影と転送画像の選択と転送処理を行うと同時に、失敗画像などの不必要な画像データの転送を防止できるので転送効率が良くなると共に、転送先での画像データの整理が容易となる。また、通信路を有効に活用できるので、撮影した画像データを転送先の外部装置を操作している操作者に早く確認させることができる。
【０１１１】
［その他の実施形態］
なお、本発明は、複数の機器（例えばホストコンピュータ、インタフェイス機器、リーダ、プリンタなど）から構成されるシステムに適用しても、一つの機器からなる装置（例えば、複写機、ファクシミリ装置など）に適用してもよい。
【０１１２】
また、本発明の目的は、前述した機能を実現するソフトウェアのプログラムコードを記録した記憶媒体を、システムに供給し、そのシステムがプログラムコードを読み出し実行することによっても達成される。この場合、記憶媒体から読み出されたプログラムコード自体が前述した実施形態の機能を実現し、そのプログラムコードを記憶した記憶媒体は本発明を構成する。また、そのプログラムコードの指示に基づき、コンピュータ上で稼働しているオペレーティングシステム（ＯＳ）などが実際の処理の一部または全部を行い、その処理によって前述した機能が実現される場合も含まれる。
【０１１３】
さらに、以下の形態で実現しても構わない。すなわち、記憶媒体から読み出されたプログラムコードを、コンピュータに挿入された機能拡張カードやコンピュータに接続された機能拡張ユニットに備わるメモリに書込む。そして、そのプログラムコードの指示に基づき、その機能拡張カードや機能拡張ユニットに備わるＣＰＵなどが実際の処理の一部または全部を行って、前述した機能が実現される場合も含まれる。
【０１１４】
本発明を上記記憶媒体に適用する場合、その記憶媒体には、先に説明したフローチャートに対応するプログラムコードが格納されることになる。
【図面の簡単な説明】
【０１１５】
【図１】本発明の実施形態に対応する画像処理装置１００の構成の一例を示す図である。
【図２ａ】本発明の実施形態に対応する処理の一例を示すフローチャートである。
【図２ｂ】本発明の実施形態に対応する処理の一例を示すフローチャートである。
【図３】本発明の実施形態に対応する撮影時画像選択転送モードにおける処理の一例を示すフローチャートである。
【図４】本発明の実施形態に対応する画像転送モードの設定画面の一例を示す図である。
【図５】本発明の実施形態に対応する各撮影モードにおける処理を説明するための図である。
【図６】本発明の実施形態に対応する各撮影モードでのクイックレビュー表示の一例を示す図である。
【図７】本発明の実施形態に対応するクイックレビュー表示の切り替えを説明するための図である。
【図８】本発明の実施形態に対応するクイックレビュー表示において、複数枚の画像の中から転送対象画像を選択するの処理を説明するための図である。
【図９】本発明の実施形態に対応する測距・測光処理の一例を示すフローチャートである。
【図１０】本発明の実施形態に対応する撮影処理の一例を示すフローチャートである。
【符号の説明】
【０１１６】
１０：撮影レンズ
１２：シャッター
１４：撮像素子
１６：Ａ／Ｄ変換器
１８：タイミング発生部
２０：画像処理部
２２：メモリ制御部
２４：画像表示メモリ
２６：Ｄ／Ａ変換器
２８：画像表示部
３０：メモリ
３２：画像圧縮・伸長部
４０：露光制御部
４２：測距制御部
４４：ズーム制御部
４６：バリア制御部
４８：フラッシュ
５０：システム制御部
５２：メモリ
５４：表示部
５６：不揮発性メモリ
６０：モードダイアルスイッチ
６２：シャッタースイッチSW１
６４：シャッタースイッチSW２
６６：画像表示ON/OFFスイッチ
６８：クイックレビューON/OFFスイッチ
７０：操作部
８０：電源制御部
８２：コネクタ
８４：コネクタ
８６：電源部
９０：インタフェース
９２：コネクタ
９４：インタフェース
９６：コネクタ
９８：記録媒体着脱検知部
１００：画像処理装置
１０２：保護部
１０４：光学ファインダ
１１０：通信部
１１２：コネクタ（またはアンテナ）
２００：記録媒体
２０２：記録部
２０４：インタフェース
２０６：コネクタ
２１０：記録媒体
２１２：記録部
２１４：インタフェース
２１６：コネクタ
３００：セット釦
３０１：画像選択釦
３０２：選択ダイアル
【図１】
2008079137.tif 000003
【図２ａ】
2008079137.tif 000004
【図２ｂ】
2008079137.tif 000005
【図３】
2008079137.tif 000006
【図４】
2008079137.tif 000007
【図５】
2008079137.tif 000008
【図６】
2008079137.tif 000009
【図７】
2008079137.tif 000010
【図８】
2008079137.tif 000011
【図９】
2008079137.tif 000012
【図１０】
2008079137.tif 000013